(57)【要約】      （修正有）【課題】持ち運びが容易で、追加要素を必要としない飲料用ディスペンサーを提供する。【解決手段】飲料を注出する注出口ＥＸと、注出口ＥＸの下方の動きを検出する赤外線センサＳＥＮと、飲料容器ＤＲＮの底部から注出口ＥＸに至る流路を形成する通液チューブＴＢと、通液チューブＴＢを押圧しつつ回転する回転体ＲＴと、回転体ＲＴを回転させる直流モータＭＯと、を有し、規定角度だけモータＭＯが回転することで、注出口ＥＸから所定量の飲料が注出される。【選択図】図２
0003232148.tif 000002
【実用新案登録請求の範囲】
【請求項１】
下方に向けて飲料を注出する注出口と、前記注出口の下方の動きを検出可能なセンサと、飲料を貯留する飲料容器の底部から前記注出口に至る流路を形成する通液チューブと、前記通液チューブを押圧しつつ回転する回転体と、前記回転体を回転させるモータと、を有し、
前記センサの検出に対応して、規定角度だけ前記モータが回転することで、所定量の飲料が注出されるよう構成されている飲料用ディスペンサー。
【請求項２】
前記通液チューブは、ジャバラ体の内部を貫通した状態で、飲料容器に挿入されている請求項１に記載の飲料用ディスペンサー。
【請求項３】
前記ジャバラ体を、飲料容器の開口から内部に挿入することで、前記ジャバラ体と飲料容器の内周面とが係合するよう構成されている請求項２に記載の飲料用ディスペンサー。
【請求項４】
飲料容器の飲料は、日本酒やワインなどである請求項１〜３の何れかに記載の飲料用ディスペンサー。
【考案の詳細な説明】
【技術分野】
【０００１】
本考案は、新商品を紹介する試飲会などで、所定量の飲料を注ぐために飲料容器に装着される飲料用ディスペンサーに関する。
【背景技術】
【０００２】
日本酒やワインなどの販売促進のため、試飲会が催されることがある。この試飲会では、多様は新商品を数杯ずつ飲み比べる場合もあり、主催者が各人に、容器に入った飲料を提供するのが一般的であった。
【０００３】
しかし、世界的なコロナ禍の中、衛生面が最重視される昨今、無人のサービスが望まれるところ、出願人も含め、試飲に活用可能な各種の発明が提案されている（特許文献１〜特許文献４）
【先行技術文献】
【特許文献】
【０００４】
【特許文献１】実用新案登録第３２２２４８７号公報
【特許文献２】実用新案登録第３２１７０００号公報
【特許文献３】特開２０１０−１８９０６７号公報
【特許文献４】特開２０２０−０５９５３２号公報
【考案の概要】
【考案が解決しようとする課題】
【０００５】
しかし、上記した特許文献に記載の考案は、何れも、ガスボンベを必須の構成要素としており、持ち運びに難点がある。
【０００６】
本考案は、上記の課題に鑑みてなされたものであって、小型軽量で持ち運びが容易で、且つ、他の追加要素を必要としない飲料用ディスペンサーを提供することを目的とする。
【課題を解決するための手段】
【０００７】
上記の目的を達成するため、本考案に係る飲料用ディスペンサーは、下方に向けて飲料を注出する注出口と、前記注出口の下方の動きを検出可能なセンサと、飲料を貯留する飲料容器の底部から前記注出口に至る流路を形成する通液チューブと、前記通液チューブを押圧しつつ回転する回転体と、前記回転体を回転させるモータと、を有し、前記センサの検出に対応して、規定角度だけ前記モータが回転することで、所定量の飲料が注出されるよう構成されている。
【考案の効果】
【０００８】
上記した本考案によれば、ガスボンベを使用しないので、小型軽量で持ち運びが容易な飲料用ディスペンサーを実現できる。
【図面の簡単な説明】
【０００９】
【図１】実施例の飲料用ディスペンサーの使用状態を示す図面である。
【図２】飲料用ディスペンサーの内部構成と、チューブポンプの動作を説明する図面である。
【図３】飲料用ディスペンサーの装着状態を説明する図面である。
【考案を実施するための形態】
【００１０】
以下、実施例に基づいて本考案を具体的に説明する。なお、ここでは、飲料容器ＤＲＮの一例として、日本酒を試飲するための一升瓶を示している。図１（ａ）は、飲料用ディスペンサーＡＤの飲料容器ＤＲＮへの装着状態を示す斜視図であり、図１（ｂ）は、構成要素を殆ど除去した空洞状態のアダプター容器ＣＡＳＥを示す概略図である。また、図２は、飲料用ディスペンサーＡＤの構成要素を示す図面である。
【００１１】
図１（ｂ）に示す通り、飲料用ディスペンサーＡＤは、本体部１と蓋部２とに区分され、両者が密嵌合されることで一体化されている。本体部１は、チューブポンプなどを収納する略円筒状の収納部１Ａと、チューブポンプの通液チューブＴＢが延設される箱状の突出部１Ｂと、で構成されている。そして、突出部１Ｂの下面には、体温を検知可能な赤外線センサＳＥＮの配置穴Ｈ１と、飲料の注出口ＥＸの配置穴Ｈ２と、が形成されている。
【００１２】
蓋部２は、円筒状のキャップ部２Ａと、板状に延びる突出片２Ｂと、で構成されている。そして、キャップ部２Ａには、跳ね返り動作する電源ボタン２１と、動作状態を示すＬＥＤランプ２２と、が配置されている。ここで、ＬＥＤランプ２２は、電源ボタン２１に内装された３色発光ダイオードであり、電源ボタン２１と共に一体的に跳ね返り動作する。
【００１３】
ＬＥＤランプ２２の動作内容は、特に限定されないが、電源ＯＦＦ状態で電源ボタン２１を押すと、ＬＥＤランプ２２が緑色に点灯して、動作可能状態（電源ＯＮ状態）となる。そして、この電源ＯＮ状態で、電源ボタン２１を押すと、ＬＥＤランプ２２は、緑色から赤色に変化した後に消灯して電源ＯＦＦ状態となる。
【００１４】
次に、飲料用ディスペンサーＡＤの内部構造を説明する。図２（ａ）及び図２（ｂ）に示す通り、本体部１の収納部１Ａは、丸穴ＨＯを設けた中間底ＢＴを境界壁として、上方に開口する第１円筒部１１と、下方の開口する第２円筒部１２と、に区分されている（図２（ｂ）参照）。そして、第１円筒部１１には、飲料を上方に移送する通液チューブＴＢと、チューブポンプの構成要素となる直流モータＭＯと、通液チューブＴＢを押圧する押圧ローラＲＴと、直流モータＭＯの電源であるアルカリ電池ＢＴと、が内蔵されている。
【００１５】
通液チューブＴＢは、適度な強度と弾力性を有しており、図２（ｂ）に示す通り、第１円筒部１１の底部で屈曲された後、第１円筒部１１の内周面に沿って真っすぐに延びて第１円筒部１１の上部に至っている。通液チューブＴＢは、その後、図２（ａ）に示す通り、第１円筒部１１の上部で、第１円筒部１１の内周面と、押圧ローラＲＴの外周面とに沿うよう、円環状に屈曲された後、注出口ＥＸに至っている。
【００１６】
図２（ｃ）は、３個の押圧ローラＲＴと、直流モータＭＯの回転軸ＡＸと、回転アームＡＭとの関係を図示したものであり、押圧ローラＲＴを、下方から見た状態を示している。押圧ローラＲＴは、回転アームＡＭから直立する直立軸ＳＨを回転中心として自由回転可能に構成されている。
【００１７】
そのため、直流モータＭＯの回転に対応して、回転アームＡＭが回転軸ＡＸと共に一体的に回転すると、３つの押圧ローラＲＴは、自転しつつ公転して、通液チューブＴＢを押圧することになる。先に説明した通り、通液チューブＴＢは、第１円筒部１１の内周面と、押圧ローラＲＴの外周面とに沿うよう配置されているので、押圧ローラＲＴの回転に対応して、通液チューブＴＢの中の飲料が移動することになる。
【００１８】
図２（ｃ）は、押圧ローラＲＴを、下方から見た図面であるので、図示の反時計方向の回転に対応して、上方から見た押圧ローラＲＴは、時計方向に回転することになる。そのため、通液チューブＴＢの飲料は、上方から見て時計方向に移動して、注出口ＥＸに向けて移送されることになる。
【００１９】
次に、飲料用ディスペンサーＡＤの装着構造について説明すると、第２円筒部１２の丸穴ＨＯには、ジャバラ体１６が密嵌合されている。そして、ジャバラ体１６の内部には、丸穴ＨＯを通過した通液チューブＴＢが下方に向け延びて、飲料容器ＤＲＮの底面に至っている。
【００２０】
ジャバラ体１６は、上下方向に延びる円筒本体部３０と、飲料容器ＤＲＮの瓶口より大径の基端円板３１と、飲料容器ＤＲＮの瓶口より小径の複数列の突出円板３２，３３，３４とを有して構成されている。図示の通り、突出円板３２，３３，３４は、下方から上方に向けて大径になっており、最上部の突出円板３２が、飲料容器ＤＲＮの内周面にほぼ接することで、飲料用ディスペンサーＡＤの装着姿勢が安定化している。
【００２１】
このように、本実施例の飲料用ディスペンサーＡＤは、飲料容器ＤＲＮの瓶口に、ジャバラ体１６を挿入するだけで装着作業が完了するので、取付け作業や、取外し作業が極めて簡単である。また、大径の基端円板３１は、飲料容器ＤＲＮの瓶口の上部に位置するだけで、飲料容器ＤＲＮを密封しないので、飲料容器ＤＲＮの内部は大気圧を維持する。
【００２２】
最後に、本実施例の飲料用ディスペンサーＡＤの使用方法を説明する。飲料容器ＤＲＮの上部に、飲料用ディスペンサーＡＤを装着した後（図１（ａ）参照）、電源ボタン２１をＯＮ操作すると、動作可能状態となる。そして、試飲者が保持するコップを、注出口ＥＸの下方に差し伸べると、赤外線センサＳＥＮが試飲者の体温を検知することで、直流モータＭＯの回転が開始され、予め設定されている角度だけ回転する。
【００２３】
そして、直流モータＭＯの回転に対応して、回転アームＡＭが一体的に回転することで、押圧ローラＲＴが公転及び自転して、試飲用の飲料が注出口ＥＸから注ぎ出られることになる。そこで、直流モータＭＯの回転停止を認識した試飲者は、コップの飲料を試飲することになる。
【００２４】
以上、実施例について詳細に説明したが、具体的な記載内容は、特に、本考案を限定しない。例えば、飲料として日本酒を例示したが、ワインやその他の酒類にも、本考案を活用できるのは勿論である。また、体温を検知可能な赤外線センサを使用したが、反射型又は透過型のホトセンサを使用して、コップを検出する構成を採るのも好適である。
【００２５】
また、飲料容器ＤＲＮの瓶口の大きさ異なる場合には、大きさに違いを吸収する円筒状のアタッチメントを使用することになる。図３は、中容量瓶に実施例の飲料用ディスペンサーＡＤを取り付けた状態を示す図面である。五合瓶の瓶口には、適宜なアタッチメント（不図示）を装着することで、一升瓶の同じ大きさの瓶口を設け、そこに飲料用ディスペンサーＡＤを装着している。
【００２６】
また、飲料用ディスペンサーＡＤを覆う化粧ケースを設けるのも好適である。図３（ｂ）は、日本酒の雰囲気に適合するよう、竹模様の化粧ケースを、飲料用ディスペンサーＡＤに設ける使用例を示している。
【符号の説明】
【００２７】
ＥＸ  注出口
ＳＥＮ  赤外線センサ
ＴＢ  通液チューブ
ＭＯ  直流モータ
ＡＤ  飲料用ディスペンサー
ＲＴ  押圧ローラ
【図１】
0003232148.tif 000003
【図２】
0003232148.tif 000004
【図３】
0003232148.tif 000005